(57)【要約】【課題】複数の他の端末との間でサーバを介して、端末を使用するユーザの活動状態を示す活動情報を相互に出力する場合に、相対プレゼンスを利用するときは、事前に変換情報をサーバに登録しなければならない。また、変換情報の設定処理および更新処理によりサーバの処理速度が低下する。【解決手段】複数の他の端末との間で、端末を使用するユーザの活動状態を示す活動情報を相互に出力すると共に、複数の他の端末のそれぞれから出力された活動情報を表示する端末であって、活動情報を格納した活動情報格納部と、グループ識別情報を格納したグループ情報格納部と、変換情報を受け付ける変換情報受付部と、変換情報をグループ識別情報および一の活動情報に対応付けて格納する変換情報格納部と、選択情報を受け付ける選択情報受付部と、変換情報をグループ識別情報に対応付けて出力する活動情報出力部とを備える。【選択図】図２
2008102867.tif 000002
【特許請求の範囲】
【請求項１】
複数の他の端末との間で、サーバを介して、端末を使用するユーザの活動状態を示す活動情報を相互に出力すると共に、前記複数の他の端末のそれぞれから出力された前記活動情報を表示する端末であって、
当該端末を使用するユーザに関する複数の活動情報を格納した活動情報格納部と、
前記複数の他の端末を使用する他のユーザが属するグループを識別するグループ識別情報を格納したグループ情報格納部と、
前記グループ情報格納部に格納された前記グループ識別情報のうちの特定のグループを識別するグループ識別情報、前記活動情報格納部に格納された前記複数の活動情報のうちの一の活動情報、および、当該一の活動情報に換えて、当該特定のグループに属する前記他のユーザが使用する前記他の端末に出力する、前記活動情報格納部に格納された前記複数の活動情報のうちの他の活動情報である変換情報を、当該端末を使用するユーザから受け付ける変換情報受付部と、
前記変換情報受付部により受け付けられた前記変換情報を、前記変換情報受付部により受け付けられた前記グループ識別情報および前記一の活動情報に対応付けて格納する変換情報格納部と、
前記活動情報格納部に格納された前記複数の活動情報のなかから選択された一の活動情報を識別する選択情報を、当該端末を使用するユーザから受け付ける選択情報受付部と、
前記選択情報受付部が前記選択情報を受け付けた場合に、当該選択情報により識別される前記一の活動情報に対応付けられて前記変換情報格納部に格納されている前記変換情報を、当該一の活動情報、および、当該変換情報に対応付けられて前記変換情報格納部に格納されている前記グループ識別情報に対応付けて出力する活動情報出力部と
を備える端末。
【請求項２】
前記活動情報出力部は、前記選択情報受付部が前記選択情報を受け付けた場合に、当該選択情報により識別される前記一の活動情報を、さらに、出力する請求項１に記載の端末。
【請求項３】
前記端末は、前記グループ識別情報に対応付けて前記変換情報が前記活動情報出力部により出力された場合に、当該グループ識別情報に対応付けて当該変換情報を記憶する出力情報記憶部をさらに備え、
前記活動情報出力部は、前記選択情報受付部が新たに選択情報を受け付けた場合に、前記選択情報受付部により受け付けられた前記新たな選択情報により識別される新たな活動情報および一のグループ識別情報に対応付けて前記変換情報格納部に格納されている新たな変換情報が、当該一のグループ識別情報に対応付けて前記出力情報記憶部に記憶されている前記変換情報と異なるときは、前記新たな変換情報を、当該一のグループ識別情報に対応付けて出力する請求項１に記載の端末。
【請求項４】
複数の他のサーバとの間で、それぞれのサーバに対応付けられた端末を使用するユーザの活動状態を示す活動情報を相互に出力するサーバであって、
前記他のサーバに対応付けられた他の端末を使用する他のユーザが属するグループを識別するグループ識別情報に対応付けて前記他のユーザを識別するユーザ識別情報を格納した出力先情報格納部と、
当該サーバに対応付けられた前記端末から、当該端末を使用するユーザにより入力された一の活動情報から変換された他の活動情報である変換情報を、前記グループ識別情報に対応付けて受信し、受信した前記変換情報を、当該端末を使用するユーザを識別する前記ユーザ識別情報とともに、当該グループ識別情報に対応付けて前記出力先情報格納部に格納された前記ユーザ識別情報により識別される前記他のユーザが使用する前記他の端末に対応付けられた前記他のサーバに送信する活動情報送受信部と
を備え、
前記活動情報送受信部は、前記他のサーバから前記変換情報を前記ユーザ識別情報とともに受信した場合には、当該サーバに対応付けられた前記端末に、当該変換情報および前記ユーザ識別情報を送信するサーバ。
【請求項５】
前記活動情報送受信部は、当該サーバに対応付けられた前記端末から、前記グループ識別情報に対応付けられた前記変換情報とともに、前記一の活動情報を受信した場合には、受信した前記一の活動情報を、当該端末を使用するユーザを識別する前記ユーザ識別情報とともに、当該グループ識別情報以外の前記グループ識別情報に対応付けて前記出力先情報格納部に格納された前記ユーザ識別情報により識別される前記他のユーザが使用する前記他の端末に対応付けられた前記他のサーバに送信する請求項４に記載のサーバ。
【請求項６】
他の端末との間で、端末を使用するユーザの活動状態を示す活動情報を相互に出力すると共に、前記他の端末のそれぞれから出力された前記活動情報を表示する複数の端末と、
前記複数の端末のそれぞれに対応付けられた複数のサーバと
を備えるシステムであって、
前記端末は、
当該端末を使用するユーザに関する複数の活動情報を格納した活動情報格納部と、
前記複数の他の端末を使用する他のユーザが属するグループを識別するグループ識別情報を格納したグループ情報格納部と、
前記グループ情報格納部に格納された前記グループ識別情報のうちの特定のグループを識別するグループ識別情報、前記活動情報格納部に格納された前記複数の活動情報のうちの一の活動情報、および、当該一の活動情報に換えて、当該特定のグループに属する前記他のユーザが使用する前記他の端末に出力する、前記活動情報格納部に格納された前記複数の活動情報のうちの他の活動情報である変換情報を、当該端末を使用するユーザから受け付ける変換情報受付部と、
前記変換情報受付部により受け付けられた前記変換情報を、前記変換情報受付部により受け付けられた前記グループ識別情報および前記一の活動情報に対応付けて格納する変換情報格納部と、
前記活動情報格納部に格納された前記複数の活動情報のなかから選択された一の活動情報を識別する選択情報を、当該端末を使用するユーザから受け付ける選択情報受付部と、
前記選択情報受付部が前記選択情報を受け付けた場合に、当該選択情報により識別される前記一の活動情報に対応付けられて前記変換情報格納部に格納されている前記変換情報を、当該一の活動情報、および、当該変換情報に対応付けられて前記変換情報格納部に格納されている前記グループ識別情報に対応付けて、当該端末に対応付けられた前記サーバに出力する活動情報出力部と
を有し、
前記サーバは、
前記他のユーザが属するグループを識別するグループ識別情報に対応付けて前記他のユーザを識別するユーザ識別情報を格納した出力先情報格納部と、
当該サーバに対応付けられた前記端末から、当該端末を使用するユーザにより入力された一の活動情報から変換された他の活動情報である変換情報を、前記グループ識別情報に対応付けて受信し、受信した前記変換情報を、当該端末を使用するユーザを識別する前記ユーザ識別情報とともに、当該グループ識別情報に対応付けて前記出力先情報格納部に格納された前記ユーザ識別情報により識別される前記他のユーザが使用する前記他の端末に対応付けられた他のサーバに送信する活動情報送受信部と
を有し、
前記活動情報送受信部は、前記他のサーバから前記変換情報を前記ユーザ識別情報とともに受信した場合には、当該サーバに対応付けられた前記端末に、当該変換情報および前記ユーザ識別情報を送信するシステム。
【請求項７】
複数の他の端末との間で、サーバを介して、端末を使用するユーザの活動状態を示す活動情報を相互に出力すると共に、前記複数の他の端末のそれぞれから出力された前記活動情報を表示する端末であって、
当該端末を使用するユーザに関する複数の活動情報を格納した活動情報格納部と、
前記複数の他の端末を使用する複数の他のユーザのそれぞれを識別するユーザ識別情報を格納したユーザ情報格納部と、
前記ユーザ情報格納部に格納された前記ユーザ識別情報のうちの特定の他のユーザを識別するユーザ識別情報、前記活動情報格納部に格納された前記複数の活動情報のうちの一の活動情報、および、当該一の活動情報に換えて、当該特定の他のユーザが使用する前記他の端末に出力する、前記活動情報格納部に格納された前記複数の活動情報のうちの他の活動情報である変換情報を、当該端末を使用するユーザから受け付ける変換情報受付部と、
前記変換情報受付部により受け付けられた前記変換情報を、前記変換情報受付部により受け付けられた前記ユーザ識別情報および前記一の活動情報に対応付けて格納する変換情報格納部と、
前記活動情報格納部に格納された前記複数の活動情報のなかから選択された一の活動情報を識別する選択情報を、当該端末を使用するユーザから受け付ける選択情報受付部と、
前記選択情報受付部が前記選択情報を受け付けた場合に、当該選択情報により識別される前記一の活動情報に対応付けられて前記変換情報格納部に格納されている前記変換情報を、当該一の活動情報、および、当該変換情報に対応付けられて前記変換情報格納部に格納されている前記ユーザ識別情報に対応付けて出力する活動情報出力部と
を備える端末。
【請求項８】
前記活動情報出力部は、前記選択情報受付部により受け付けられた前記選択情報により識別される前記一の活動情報を、さらに、出力する請求項７に記載の端末。
【請求項９】
前記端末は、前記ユーザ識別情報に対応付けて前記変換情報が前記活動情報出力部により出力された場合に、当該ユーザ識別情報に対応付けて当該変換情報を記憶する出力情報記憶部をさらに備え、
前記活動情報出力部は、前記選択情報受付部が新たに選択情報を受け付けた場合に、前記選択情報受付部により受け付けられた前記新たな選択情報により識別される新たな活動情報および一のユーザ識別情報に対応付けて前記変換情報格納部に格納されている新たな変換情報が、当該一のユーザ識別情報に対応付けて前記出力情報記憶部に記憶されている前記変換情報と異なるときは、前記新たな変換情報を、当該一のユーザ識別情報に対応付けて出力する請求項７に記載の端末。
【請求項１０】
複数の他のサーバとの間で、それぞれのサーバに対応付けられた端末を使用するユーザの活動状態を示す活動情報を相互に出力するサーバであって、
当該サーバに対応付けられた前記端末から、当該端末を使用するユーザにより入力された一の活動情報から変換された他の活動情報である変換情報を、他のユーザを識別するユーザ識別情報に対応付けて受信し、受信した前記変換情報を、当該端末を使用するユーザを識別する前記ユーザ識別情報とともに、受信した前記他のユーザを識別するユーザ識別情報により識別される前記他のユーザが使用する前記他の端末に対応付けられた前記他のサーバに送信する活動情報送受信部と
を備え、
前記活動情報送受信部は、前記他のサーバから前記変換情報を前記ユーザ識別情報とともに受信した場合には、当該サーバに対応付けられた前記端末に、当該変換情報および前記ユーザ識別情報を送信するサーバ。
【請求項１１】
前記活動情報送受信部は、当該サーバに対応付けられた前記端末から、前記ユーザ識別情報に対応付けられた前記変換情報とともに、前記一の活動情報を受信した場合には、受信した前記一の活動情報を、当該端末を使用するユーザを識別する前記ユーザ識別情報とともに、前記他のユーザが使用する前記他の端末に対応付けられた前記他のサーバに送信する請求項１０に記載のサーバ。
【請求項１２】
他の端末との間で、端末を使用するユーザの活動状態を示す活動情報を相互に出力すると共に、前記他の端末のそれぞれから出力された前記活動情報を表示する複数の端末と、
前記複数の端末のそれぞれに対応付けられた複数のサーバと
を備えるシステムであって、
前記端末は、
当該端末を使用するユーザに関する複数の活動情報を格納した活動情報格納部と、
前記複数の他の端末を使用する複数の他のユーザのそれぞれを識別するユーザ識別情報を格納したユーザ情報格納部と、
前記ユーザ情報格納部に格納された前記ユーザ識別情報のうちの特定の他のユーザを識別するユーザ識別情報、前記活動情報格納部に格納された前記複数の活動情報のうちの一の活動情報、および、当該一の活動情報に換えて、当該特定の他のユーザが使用する前記他の端末に出力する、前記活動情報格納部に格納された前記複数の活動情報のうちの他の活動情報である変換情報を、当該端末を使用するユーザから受け付ける変換情報受付部と、
前記変換情報受付部により受け付けられた前記変換情報を、前記変換情報受付部により受け付けられた前記ユーザ識別情報および前記一の活動情報に対応付けて格納する変換情報格納部と、
前記活動情報格納部に格納された前記複数の活動情報のなかから選択された一の活動情報を識別する選択情報を、当該端末を使用するユーザから受け付ける選択情報受付部と、
前記選択情報受付部が前記選択情報を受け付けた場合に、当該選択情報により識別される前記一の活動情報に対応付けられて前記変換情報格納部に格納されている前記変換情報を、当該一の活動情報、および、当該変換情報に対応付けられて前記変換情報格納部に格納されている前記ユーザ識別情報に対応付けて、当該端末に対応付けられた前記サーバに出力する活動情報出力部と
を有し、
前記サーバは、
当該サーバに対応付けられた前記端末から、当該端末を使用するユーザにより入力された一の活動情報から変換された他の活動情報である変換情報を、他のユーザを識別するユーザ識別情報に対応付けて受信し、受信した前記変換情報を、当該端末を使用するユーザを識別する前記ユーザ識別情報とともに、受信した前記他のユーザを識別するユーザ識別情報により識別される前記他のユーザが使用する前記他の端末に対応付けられた前記他のサーバに送信する活動情報送受信部と
を有し、
前記活動情報送受信部は、前記他のサーバから前記変換情報を前記ユーザ識別情報とともに受信した場合には、当該サーバに対応付けられた前記端末に、当該変換情報および前記ユーザ識別情報を送信するシステム。
【発明の詳細な説明】
【技術分野】
【０００１】
本発明は、端末、サーバおよびシステムに関する。特に、本発明は、端末を使用するユーザの活動状態を示す活動情報を送受信する端末、サーバおよびシステムに関する。
【背景技術】
【０００２】
複数の端末との間で、端末を使用するユーザの活動状態を示す活動情報であるプレゼンスを、プレゼンスサーバを介して相互に出力すると共に、複数の端末のそれぞれから出力されたプレゼンスを表示するプレゼンス表示システムが知られている。さらに、このプレゼンス表示システムにおいて、プレゼンスとともに、当該プレゼンスを出力した端末を使用しているユーザであるバディとの距離を表示する（例えば、特許文献１参照）。また、異なるプレゼンスサービス間でプレゼンス情報の同期をとるプレゼンス表示システムが知られている（例えば、特許文献２参照）。特許文献１、２に記載のプレゼンス表示システムにおいて、プレゼンスサーバは、プレゼンスを発信するユーザが選択したプレゼンスである絶対プレゼンスを、特定のグループに対し、見かけ上のプレゼンスである相対プレゼンスに変換して出力する。
【特許文献１】特開２００５−１２３９７０号公報
【特許文献２】特開２００５−１９０２８７号公報
【発明の開示】
【発明が解決しようとする課題】
【０００３】
特許文献１、２に記載のプレゼンスシステムにおいては、端末から入力された絶対プレゼンスをどの相対プレゼンスに変換して他の端末に出力するかの変換情報を、プレゼンスサーバで管理している。よって、ユーザが上記変換情報を設定および変更する場合には、端末とプレゼンスサーバとがその都度通信するという問題がある。また、プレゼンスサーバは、同一のグループ内のユーザ毎に相対プレゼンスを設定することできないという課題がある。さらに、プレゼンスサーバは、グループ毎、絶対プレゼンス毎の相対プレゼンスを設定した変換情報を保持することになり、プレゼンスサービスの利用者の増加、表示可能なプレゼンス数の増加などにより、処理速度が低下するという課題がある。
【課題を解決するための手段】
【０００４】
上記課題を解決するために、本発明の第１の形態においては、複数の他の端末との間で、端末を使用するユーザの活動状態を示す活動情報を相互に出力すると共に、複数の他の端末のそれぞれから出力された活動情報を表示する端末であって、当該端末を使用するユーザに関する複数の活動情報を格納した活動情報格納部と、複数の他の端末を使用する他のユーザが属するグループを識別するグループ識別情報を格納したグループ情報格納部と、グループ情報格納部に格納されたグループ識別情報のうちの特定のグループを識別するグループ識別情報、活動情報格納部に格納された複数の活動情報のうちの一の活動情報、および、当該一の活動情報に換えて、当該特定のグループに属する他のユーザが使用する他の端末に出力する、活動情報格納部に格納された複数の活動情報のうちの他の活動情報である変換情報を、当該端末を使用するユーザから受け付ける変換情報受付部と、変換情報受付部により受け付けられた変換情報を、変換情報受付部により受け付けられたグループ識別情報および一の活動情報に対応付けて格納する変換情報格納部と、活動情報格納部に格納された複数の活動情報のなかから選択された一の活動情報を識別する選択情報を、当該端末を使用するユーザから受け付ける選択情報受付部と、選択情報受付部が選択情報を受け付けた場合に、当該選択情報により識別される一の活動情報に対応付けられて変換情報格納部に格納されている変換情報を、当該一の活動情報、および、当該変換情報に対応付けられて変換情報格納部に格納されているグループ識別情報に対応付けて出力する活動情報出力部とを備える。これにより、端末に変換情報を格納するので、変換情報を簡便に設定および変更することができる。また、当該端末からそれぞれのグループ宛に変換情報が出力されるので、サーバなどの出力先において変換情報に変換する処理が不要となり、サーバなどの出力先の負担を低減させることができる。
【０００５】
活動情報出力部は、選択情報受付部が選択情報を受け付けた場合に、当該選択情報により識別される一の活動情報を、さらに、出力してもよい。これにより、活動情報を変換しないで出力するグループに対しては、端末からグループを指定する手間を省くことができる。
【０００６】
端末は、グループ識別情報に対応付けて変換情報が活動情報出力部により出力された場合に、当該グループ識別情報に対応付けて当該変換情報を記憶する出力情報記憶部をさらに備え、活動情報出力部は、選択情報受付部が新たに選択情報を受け付けた場合に、選択情報受付部により受け付けられた新たな選択情報により識別される新たな活動情報および一のグループ識別情報に対応付けて変換情報格納部に格納されている新たな変換情報が、当該一のグループ識別情報に対応付けて出力情報記憶部に記憶されている変換情報と異なるときは、新たな変換情報を、当該一のグループ識別情報に対応付けて出力してもよい。これにより、特定のユーザの活動情報が変更になった場合であっても、他のユーザが属するグループの端末上で結果的に表示されるべき当該特定のユーザの活動情報が現在表示されている活動情報と同じである場合には、当該グループに対して変換情報を出力しないので、ネットワークの負荷、サーバの負荷を低減させることができる。
【０００７】
上記課題を解決するために、本発明の第２の形態においては、複数の他のサーバとの間で、それぞれのサーバに対応付けられた端末を使用するユーザの活動状態を示す活動情報を相互に出力するサーバであって、他のサーバに対応付けられた他の端末を使用する他のユーザが属するグループを識別するグループ識別情報に対応付けて他のユーザを識別するユーザ識別情報を格納した出力先情報格納部と、当該サーバに対応付けられた端末から、当該端末を使用するユーザにより入力された一の活動情報から変換された他の活動情報である変換情報を、グループ識別情報に対応付けて受信し、受信した変換情報を、当該端末を使用するユーザを識別するユーザ識別情報とともに、当該グループ識別情報に対応付けて出力先情報格納部に格納されたユーザ識別情報により識別される他のユーザが使用する他の端末に対応付けられた他のサーバに送信する活動情報送受信部とを備え、活動情報送受信部は、他のサーバから変換情報をユーザ識別情報とともに受信した場合には、当該サーバに対応付けられた端末に、当該変換情報およびユーザ識別情報を送信する。これにより、第１の形態と同一の効果を得ることができる。
【０００８】
活動情報送受信部は、当該サーバに対応付けられた端末から、グループ識別情報に対応付けられた変換情報とともに、一の活動情報を受信した場合には、受信した一の活動情報を、当該端末を使用するユーザを識別するユーザ識別情報とともに、当該グループ識別情報以外のグループ識別情報に対応付けて出力先情報格納部に格納されたユーザ識別情報により識別される他のユーザが使用する他の端末に対応付けられた他のサーバに送信してもよい。
【０００９】
上記課題を解決するために、本発明の第３の形態においては、他の端末との間で、端末を使用するユーザの活動状態を示す活動情報を相互に出力すると共に、他の端末のそれぞれから出力された活動情報を表示する複数の端末と、複数の端末のそれぞれに対応付けられた複数のサーバとを備えるシステムであって、端末は、当該端末を使用するユーザに関する複数の活動情報を格納した活動情報格納部と、複数の他の端末を使用する他のユーザが属するグループを識別するグループ識別情報を格納したグループ情報格納部と、グループ情報格納部に格納されたグループ識別情報のうちの特定のグループを識別するグループ識別情報、活動情報格納部に格納された複数の活動情報のうちの一の活動情報、および、当該一の活動情報に換えて、当該特定のグループに属する他のユーザが使用する他の端末に出力する、活動情報格納部に格納された複数の活動情報のうちの他の活動情報である変換情報を、当該端末を使用するユーザから受け付ける変換情報受付部と、変換情報受付部により受け付けられた変換情報を、変換情報受付部により受け付けられたグループ識別情報および一の活動情報に対応付けて格納する変換情報格納部と、活動情報格納部に格納された複数の活動情報のなかから選択された一の活動情報を識別する選択情報を、当該端末を使用するユーザから受け付ける選択情報受付部と、選択情報受付部が選択情報を受け付けた場合に、当該選択情報により識別される一の活動情報に対応付けられて変換情報格納部に格納されている変換情報を、当該一の活動情報、および、当該変換情報に対応付けられて変換情報格納部に格納されているグループ識別情報に対応付けて、当該端末に対応付けられたサーバに出力する活動情報出力部とを有し、サーバは、他のユーザが属するグループを識別するグループ識別情報に対応付けて他のユーザを識別するユーザ識別情報を格納した出力先情報格納部と、当該サーバに対応付けられた端末から、当該端末を使用するユーザにより入力された一の活動情報から変換された他の活動情報である変換情報を、グループ識別情報に対応付けて受信し、受信した変換情報を、当該端末を使用するユーザを識別するユーザ識別情報とともに、当該グループ識別情報に対応付けて出力先情報格納部に格納されたユーザ識別情報により識別される他のユーザが使用する他の端末に対応付けられた他のサーバに送信する活動情報送受信部とを有し、活動情報送受信部は、他のサーバから変換情報をユーザ識別情報とともに受信した場合には、当該サーバに対応付けられた端末に、当該変換情報およびユーザ識別情報を送信する。これにより、第１の形態と同一の効果を得ることができる。
【００１０】
上記課題を解決するために、本発明の第４の形態においては、複数の他の端末との間で、端末を使用するユーザの活動状態を示す活動情報を相互に出力すると共に、複数の他の端末のそれぞれから出力された活動情報を表示する端末であって、当該端末を使用するユーザに関する複数の活動情報を格納した活動情報格納部と、複数の他の端末を使用する複数の他のユーザのそれぞれを識別するユーザ識別情報を格納したユーザ情報格納部と、ユーザ情報格納部に格納されたユーザ識別情報のうちの特定の他のユーザを識別するユーザ識別情報、活動情報格納部に格納された複数の活動情報のうちの一の活動情報、および、当該一の活動情報に換えて、当該特定の他のユーザが使用する他の端末に出力する、活動情報格納部に格納された複数の活動情報のうちの他の活動情報である変換情報を、当該端末を使用するユーザから受け付ける変換情報受付部と、変換情報受付部により受け付けられた変換情報を、変換情報受付部により受け付けられたユーザ識別情報および一の活動情報に対応付けて格納する変換情報格納部と、活動情報格納部に格納された複数の活動情報のなかから選択された一の活動情報を識別する選択情報を、当該端末を使用するユーザから受け付ける選択情報受付部と、選択情報受付部が選択情報を受け付けた場合に、当該選択情報により識別される一の活動情報に対応付けられて変換情報格納部に格納されている変換情報を、当該一の活動情報、および、当該変換情報に対応付けられて変換情報格納部に格納されているユーザ識別情報に対応付けて出力する活動情報出力部とを備える。これにより、端末に変換情報を格納するので、変換情報を簡便に設定および変更することができる。また、当該端末からそれぞれの他のユーザ宛に変換情報が出力されるので、サーバなどの出力先において変換情報に変換する処理が不要となり、サーバなどの出力先の負担を低減させることができる。さらに、ユーザ毎に相対プレゼンスを設定することができる。
【００１１】
活動情報出力部は、選択情報受付部により受け付けられた選択情報により識別される一の活動情報を、さらに、出力してもよい。これにより、活動情報を変換しないで出力する他のユーザに対しては、端末から他のユーザを指定する手間を省くことができる。
【００１２】
端末は、ユーザ識別情報に対応付けて変換情報が活動情報出力部により出力された場合に、当該ユーザ識別情報に対応付けて当該変換情報を記憶する出力情報記憶部をさらに備え、活動情報出力部は、選択情報受付部が新たに選択情報を受け付けた場合に、選択情報受付部により受け付けられた新たな選択情報により識別される新たな活動情報および一のユーザ識別情報に対応付けて変換情報格納部に格納されている新たな変換情報が、当該一のユーザ識別情報に対応付けて出力情報記憶部に記憶されている変換情報と異なるときは、新たな変換情報を、当該一のユーザ識別情報に対応付けて出力してもよい。これにより、特定のユーザの活動情報が変更になった場合であっても、他のユーザの端末上で結果的に表示されるべき当該特定のユーザの活動情報が現在表示されている活動情報と同じである場合には、当該他のユーザに対して変換情報を出力しないので、ネットワークの負荷、サーバの負荷を低減させることができる。
【００１３】
上記課題を解決するために、本発明の第５の形態においては、複数の他のサーバとの間で、それぞれのサーバに対応付けられた端末を使用するユーザの活動状態を示す活動情報を相互に出力するサーバであって、当該サーバに対応付けられた端末から、当該端末を使用するユーザにより入力された一の活動情報から変換された他の活動情報である変換情報を、他のユーザを識別するユーザ識別情報に対応付けて受信し、受信した変換情報を、当該端末を使用するユーザを識別するユーザ識別情報とともに、受信した他のユーザを識別するユーザ識別情報により識別される他のユーザが使用する他の端末に対応付けられた他のサーバに送信する活動情報送受信部とを備え、活動情報送受信部は、他のサーバから変換情報をユーザ識別情報とともに受信した場合には、当該サーバに対応付けられた端末に、当該変換情報およびユーザ識別情報を送信する。これにより、第４の形態と同一の効果を得ることができる。
【００１４】
活動情報送受信部は、当該サーバに対応付けられた端末から、ユーザ識別情報に対応付けられた変換情報とともに、一の活動情報を受信した場合には、受信した一の活動情報を、当該端末を使用するユーザを識別するユーザ識別情報とともに、他のユーザが使用する他の端末に対応付けられた他のサーバに送信してもよい。
【００１５】
上記課題を解決するために、本発明の第６の形態においては、他の端末との間で、端末を使用するユーザの活動状態を示す活動情報を相互に出力すると共に、他の端末のそれぞれから出力された活動情報を表示する複数の端末と、複数の端末のそれぞれに対応付けられた複数のサーバとを備えるシステムであって、端末は、当該端末を使用するユーザに関する複数の活動情報を格納した活動情報格納部と、複数の他の端末を使用する複数の他のユーザのそれぞれを識別するユーザ識別情報を格納したユーザ情報格納部と、ユーザ情報格納部に格納されたユーザ識別情報のうちの特定の他のユーザを識別するユーザ識別情報、活動情報格納部に格納された複数の活動情報のうちの一の活動情報、および、当該一の活動情報に換えて、当該特定の他のユーザが使用する他の端末に出力する、活動情報格納部に格納された複数の活動情報のうちの他の活動情報である変換情報を、当該端末を使用するユーザから受け付ける変換情報受付部と、変換情報受付部により受け付けられた変換情報を、変換情報受付部により受け付けられたユーザ識別情報および一の活動情報に対応付けて格納する変換情報格納部と、活動情報格納部に格納された複数の活動情報のなかから選択された一の活動情報を識別する選択情報を、当該端末を使用するユーザから受け付ける選択情報受付部と、選択情報受付部が選択情報を受け付けた場合に、当該選択情報により識別される一の活動情報に対応付けられて変換情報格納部に格納されている変換情報を、当該一の活動情報、および、当該変換情報に対応付けられて変換情報格納部に格納されているユーザ識別情報に対応付けて、当該端末に対応付けられたサーバに出力する活動情報出力部とを有し、サーバは、当該サーバに対応付けられた端末から、当該端末を使用するユーザにより入力された一の活動情報から変換された他の活動情報である変換情報を、他のユーザを識別するユーザ識別情報に対応付けて受信し、受信した変換情報を、当該端末を使用するユーザを識別するユーザ識別情報とともに、受信した他のユーザを識別するユーザ識別情報により識別される他のユーザが使用する他の端末に対応付けられた他のサーバに送信する活動情報送受信部とを有し、活動情報送受信部は、他のサーバから変換情報をユーザ識別情報とともに受信した場合には、当該サーバに対応付けられた端末に、当該変換情報およびユーザ識別情報を送信する。これにより、第４の形態と同一の効果を得ることができる。
【００１６】
なお、上記の発明の概要は、本発明の必要な特徴の全てを列挙したものではなく、これらの特徴群のサブコンビネーションもまた、発明となりうる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１８】
図１は、システム１０の概略図を模式的に示す。システム１０は、携帯情報端末２０、２２、２４、２６、および、サーバ３０、３２、３４、３６を備える。携帯情報端末２０、２２、２４、２６は、端末の一例であって、例えば、スマートフォン（ｓｍａｒｔ  ｐｈｏｎｅ）である。当該携帯情報端末２０、２２、２４、２６は、それぞれディスプレイ２００、２０２、２０４、２０６を有する。携帯情報端末２０、２２、２４、２６は、それぞれを使用するユーザを識別するユーザ識別情報（以下「ユーザＩＤ」という。）を記憶する。サーバ３０、３２、３４、３６は、それぞれ、携帯情報端末２０、２２、２４、２６と対応付けられている。なお、以下の説明において、携帯情報端末２０は、活動情報を発信するユーザであるＡに使用され、携帯情報端末２２はＡの勤務する会社のＢ課長に使用され、携帯情報端末２４はＡの友人であるＥに使用され、携帯情報端末２６はＡの家族である妻に使用される例を用いる。
【００１９】
携帯情報端末２０、２２、２４、２６は、他の携帯情報端末２０、２２、２４、２６との間で、携帯情報端末２０、２２、２４、２６を使用するユーザの活動状態を示す活動情報を相互に出力する。さらに、携帯情報端末２０、２２、２４、２６は、他の携帯情報端末２０、２２、２４、２６のそれぞれから出力された活動情報を表示する。例えば、携帯情報端末２０は、携帯情報端末２０を使用するユーザ「Ａ」の活動情報を、サーバ３０およびサーバ３２を介して携帯情報端末２２に出力する。また例えば、携帯情報端末２０は、携帯情報端末２２から、携帯情報端末２２を使用するユーザ「Ｂ課長」の活動情報を、サーバ３２およびサーバ３０を介して受信してディスプレイ２００に表示する。ここで活動状態の一例は「仕事中」であり、活動情報の一例は仕事中であることを示す識別情報である。
【００２０】
図２は、携帯情報端末２０のブロック図の一例を示す。図２に示すように、携帯情報端末２０は、出力先情報送受信部１００、変換情報受付部１１０、選択情報受付部１２０、活動情報出力部１３０、活動情報受信部１４０、表示部１５０、活動情報格納部１６０、グループ情報格納部１７０、および、変換情報格納部１８０を備える。
【００２１】
図３は、活動情報格納部１６０に格納された情報の一例を示す。図３に示すように、活動情報格納部１６０は、携帯情報端末２０を使用するユーザ「Ａ」に関する複数の活動情報を格納する。図３に示す例において、活動情報格納部１６０は、活動状態「仕事中」に対応付けて活動情報「Ｋ１０」等を格納している。なお、活動情報は、「Ｋ１０」等の識別情報に代えて、活動状態を示す文字列、例えば「仕事中」等であってもよい。
【００２２】
出力先情報送受信部１００は、他の携帯情報端末を使用する他のユーザを識別するユーザＩＤ、ユーザ名およびそのユーザが属するグループを識別するグループ識別情報（以下「グループＩＤ」という）を、携帯情報端末２０を使用するユーザ「Ａ」から受け付ける。出力先情報送受信部１００は、受け付けたグループＩＤに対応付けて、受け付けたユーザＩＤおよびユーザ名を、携帯情報端末２０に対応付けられたサーバ３０に送信する。
【００２３】
図４は、グループ情報格納部１７０に格納された情報の一例を示す。図４に示すように、グループ情報格納部１７０は、他の携帯情報端末を使用する他のユーザが属するグループを識別するグループＩＤを格納する。図４に示す例において、グループ情報格納部１７０は、グループ「会社」に対応付けてグループＩＤ「Ｇ０１」、グループ「友人」に対応付けてグループＩＤ「Ｇ０２」等を格納している。
【００２４】
変換情報受付部１１０は、入力された活動情報を他の活動情報に変換する変換情報を、携帯情報端末２０のユーザＡから受け付け、変換情報格納部１８０に格納する。この場合に、変換情報受付部１１０は、グループ情報格納部１７０に格納されたグループＩＤのうちの特定のグループを識別するグループＩＤ、活動情報格納部１６０に格納された複数の活動情報のうちの一の活動情報、および、当該一の活動情報に換えて、当該特定のグループに属する他のユーザが使用する他の携帯情報端末に出力する変換情報を受け付ける。ここで、変換情報は、例えば、活動情報格納部１６０に格納された複数の活動情報のうちの他の活動情報である。
【００２５】
図５は、変換情報格納部１８０に格納された情報の一例を示す。図５に示すように、変換情報格納部１８０は、変換情報受付部１１０により受け付けられた変換情報を、変換情報受付部１１０により受け付けられたグループＩＤ、および、変換情報受付部１１０により受け付けられた一の活動情報に対応付けて格納する。図５に示す例において、変換情報格納部１８０は、一の活動情報「Ｋ１２」およびグループＩＤ「Ｇ０２」に対応付けて変換情報「Ｋ１０」、一の活動情報「Ｋ１２」およびグループＩＤ「Ｇ０３」に対応付けて変換情報「Ｋ１０」等を格納している。
【００２６】
選択情報受付部１２０は、ユーザＡが他のユーザに通知する活動情報の選択を、当該ユーザＡから受け付ける。この場合に、選択情報受付部１２０は、活動情報格納部１６０に格納された複数の活動情報のなかから選択された一の活動情報を識別する選択情報を、携帯情報端末２０を使用するユーザＡから受け付ける。
【００２７】
活動情報出力部１３０は、選択情報受付部１２０が選択情報を受け付けた場合に、当該選択情報により識別される活動情報、および、当該活動情報を変換した変換情報を、サーバ３０に出力する。この場合に、活動情報出力部１３０は、当該選択情報により識別される一の活動情報に対応付けられて変換情報格納部１８０に格納されている変換情報を、当該一の活動情報、および、当該変換情報に対応付けられて変換情報格納部１８０に格納されているグループＩＤに対応付けて、携帯情報端末２０に対応付けられたサーバ３０に出力する。また、活動情報出力部１３０は、選択情報受付部１２０が選択情報を受け付けた場合に、当該選択情報により識別される一の活動情報を、さらに、サーバ３０に出力する。また、活動情報出力部１３０は、携帯情報端末２０を使用するユーザＡを識別するユーザＩＤ「Ｕ０１」を、携帯情報端末２０に対応付けられたサーバ３０に出力する。
【００２８】
活動情報受信部１４０は、他の携帯情報端末である携帯情報端末を使用するそれぞれのユーザの活動情報を受信する。
【００２９】
図６は、ディスプレイ２００に表示された情報の一例を示す。図６に示すように、表示部１５０は、活動情報受信部１４０により受信された他の携帯情報端末を使用するそれぞれのユーザの活動情報をディスプレイ２００に表示する。図６に示す例において、表示部１５０は、携帯情報端末２０のディスプレイ２００にグループ「会社」のＢ課長に対応付けて、活動状態「仕事中」、および、活動情報「Ｋ１０」を表示している。
【００３０】
以上、携帯情報端末２０の機能について説明したが、他の携帯情報端末２２、２４、２６も同じ機能を有する。
【００３１】
図７は、サーバ３０のブロック図の一例を示す。サーバ３０は、出力先情報送受信部３００、活動情報送受信部３１０、出力先情報格納部３５０および活動情報記憶部３６０を備える。
【００３２】
出力先情報送受信部３００は、携帯情報端末２０の出力先情報送受信部１００から、活動情報を出力する出力先である他の携帯情報端末２２、２４、２６のユーザが属するグループを受信して、出力先情報格納部３５０に格納する。この場合に、出力先情報送受信部３００は、他のサーバ３２、３４、３６に対応付けられた他の携帯情報端末２２、２４、２６を使用する他のユーザが属するグループを識別するグループＩＤに対応付けて、他のユーザを識別するユーザＩＤおよびユーザ名を受信する。
【００３３】
図８は、出力先情報格納部３５０に格納された情報の一例を示す。出力先情報格納部３５０は、出力先情報送受信部３００により受信されたグループＩＤ、ユーザＩＤおよびユーザ名を対応付けて格納する。図８に示す例において、出力先情報格納部３５０は、グループＩＤ「Ｇ０１」に対応付けてユーザＩＤ「Ｕ０２」およびユーザ名「Ｂ課長」、グループＩＤ「Ｇ０１」に対応付けてユーザＩＤ「Ｕ０３」およびユーザ名「Ｃさん」等を格納している。
【００３４】
活動情報送受信部３１０は、携帯情報端末２０の活動情報出力部１３０から、携帯情報端末２０を使用するユーザＡを識別するユーザＩＤ「Ｕ０１」とともに、変換情報を、グループＩＤに対応付けて受信する。さらに、活動情報送受信部３１０は、携帯情報端末２０の活動情報出力部１３０から、携帯情報端末２０の選択情報受付部１２０により受け付けられた選択情報により識別される一の活動情報を受信する。
【００３５】
図９は、活動情報記憶部３６０に記憶された情報の一例を示す。活動情報送受信部３１０は、受信したグループＩＤに対応付けて出力先情報格納部３５０に格納されたユーザＩＤを読み出して、読み出したユーザＩＤに対応付けて受信した変換情報を活動情報記憶部３６０に記憶する。また、活動情報送受信部３１０は、受信したグループＩＤ以外のグループＩＤに対応付けて出力先情報格納部３５０に格納されたユーザＩＤを読み出して、読み出したユーザＩＤに対応付けて受信した一の活動情報を活動情報記憶部３６０にさらに記憶する。例えば、活動情報送受信部３１０は、図９に示すように、ユーザＩＤに対応付けて変換情報または一の活動情報を活動情報記憶部３６０に記憶する。なお、活動情報送受信部３１０は、図９に示すように、活動情報として変換情報と一の活動情報とを区別せず、格納してもよい。
【００３６】
そして活動情報送受信部３１０は、ユーザ「Ａ」を識別するユーザＩＤ「Ｕ０１」とともに、活動情報記憶部３６０に記憶した変換情報または一の活動情報を、当該ユーザＩＤにより識別される他のユーザが使用する他の端末に対応付けられた他のサーバに送信する。
【００３７】
一方、活動情報送受信部３１０は、他のサーバ３２、３４、３６から、ユーザ識別情報とともに活動情報または変換情報を受信した場合には、携帯情報端末２０に、当該変換情報およびユーザ識別情報とともに送信する。
【００３８】
図１０は、ディスプレイ２０２、２０４、２０６に表示された情報の一例を示す。例えば、活動情報送受信部３１０が図９に示す情報を活動情報記憶部３６０に記憶した場合には、ユーザＩＤ「Ｕ０２」により識別されるユーザ「Ｂ課長」が使用する携帯情報端末２２には図１０（ａ）に示すようにユーザ「Ａ」の活動情報が表示され、ユーザＩＤ「Ｕ０５」により識別されるユーザ「Ｅ」が使用する携帯情報端末２４には図１０（ｂ）に示すようにユーザ「Ａ」の活動情報が表示され、ユーザＩＤ「Ｕ０７」により識別されるユーザ「妻」が使用する携帯情報端末２６には図１０（ｃ）に示すようにユーザ「Ａ」の活動情報が表示される。
【００３９】
以上、サーバ３０の機能について説明したが、他のサーバについても同様である。
【００４０】
図１１は、システム１０の動作の一例を示すフローチャートである。図１２は、携帯情報端末２０から出力される情報の一例を示す。図１３は、ディスプレイ２０２、２０４、２０６に表示された情報の一例を示す。本フローチャートは、携帯情報端末２０を使用するユーザ「Ａ」が活動情報を変更してから、図１に示す携帯情報端末２２、２４、２６に加え、図８に示すユーザ「Ｃさん」「Ｄ君」「Ｆ」「娘」が使用する非図示の携帯情報端末に、ユーザ「Ａ」の活動情報が表示されるまでのシステム１０の動作を示す。
【００４１】
本フローチャートは、携帯情報端末２０の選択情報受付部１２０が、携帯情報端末２０を使用するユーザ「Ａ」から、選択情報を受け付けることにより開始する。ここでは選択情報受付部１２０は、活動情報「Ｋ２４」を識別する選択情報「Ｋ２４」を受け付けるものとする。また、本フローチャートの開始時において、携帯情報端末２０のグループ情報格納部１７０は図４に示す情報を格納しており、変換情報格納部１８０は図５に示す情報を格納しているものとする。また、サーバ３０の出力先情報格納部３５０は図８に示す情報を格納しているものとする。本フローチャートの開始時において、携帯情報端末２２、２４、２６は、それぞれ図１０（ａ）、（ｂ）、（ｃ）に示す情報を表示しているものとする。
【００４２】
携帯情報端末２０の選択情報受付部１２０がユーザ「Ａ」から選択情報を受け付けた場合に、当該携帯情報端末２０の活動情報出力部１３０は、選択情報「Ｋ２４」が変換情報格納部１８０に格納された一の活動情報と同一であるか否かを判断する（Ｓ１００）。ステップＳ１００において活動情報出力部１３０は、選択情報「Ｋ２４」が変換情報格納部１８０に格納された一の活動情報と同一であると判断した場合に（Ｓ１００：Ｙｅｓ）、当該一の活動情報「Ｋ２４」に対応付けて変換情報格納部１８０に格納されているグループＩＤ、変換情報を対応付けて読み出す（Ｓ１１０）。さらに、活動情報出力部１３０は、読み出されたグループＩＤに対応付けて変換情報をセットした出力情報を生成し（Ｓ１２０）、生成した出力情報に選択情報「Ｋ２４」を付加する（Ｓ１３０）。
【００４３】
一方、ステップＳ１００において活動情報出力部１３０は、選択情報「Ｋ２４」が変換情報格納部１８０に格納された一の活動情報と同一でないと判断した場合（Ｓ１００：Ｎｏ）、選択情報「Ｋ２４」をセットした出力情報を生成する（Ｓ１４０）。
【００４４】
ステップＳ１００において活動情報出力部１３０は、選択情報「Ｋ２４」が変換情報格納部１８０に格納された一の活動情報「Ｋ２４」と同一である場合に（Ｓ１００：Ｙｅｓ）、変換情報格納部１８０から、グループＩＤ「Ｇ０１」に対応付けて変換情報「Ｋ１６」を読み出し（Ｓ１１０）、グループＩＤ「Ｇ０３」に対応付けて変換情報「Ｋ２２」を読み出す（Ｓ１１０）。さらに、活動情報出力部１３０は、読み出されたグループＩＤ「Ｇ０１」に対応付けて変換情報「Ｋ１６」をセットし（Ｓ１２０）、読み出されたグループＩＤ「Ｇ０３」に対応付けて変換情報「Ｋ２２」をセットした出力情報を生成し（Ｓ１２０）、生成した出力情報に選択情報「Ｋ２４」を付加する（Ｓ１３０）。
【００４５】
さらに活動情報出力部１３０は、出力元のユーザＩＤとして、ユーザＡを識別するユーザＩＤ「Ｕ０１」を出力情報に付加し（Ｓ１５０）、図１２に示す出力情報をサーバ３０に出力する（Ｓ１６０）。図１２に示す出力情報は、ユーザＡを識別するユーザＩＤ「Ｕ０１」、選択情報「Ｋ２４」、グループＩＤ「Ｇ０１」に対応付けられた変換情報「Ｋ１６」、および、グループＩＤ「Ｇ０３」に対応付けられた変換情報「Ｋ２２」を含む。
【００４６】
サーバ３０の活動情報送受信部３１０は、出力情報に含まれる、ユーザ「Ａ」を識別するユーザＩＤ「Ｕ０１」、選択情報「２４」、グループＩＤ「Ｇ０１」に対応付けられた変換情報「Ｋ１６」、グループＩＤ「Ｇ０３」に対応付けられた変換情報「Ｋ２２」を読み出す。そしてまず、活動情報送受信部３１０は、グループＩＤ「Ｇ０１」に対応付けて出力先情報格納部３５０に格納されたユーザＩＤ「Ｕ０２」「Ｕ０３」「Ｕ０４」を読み出し、それぞれのユーザＩＤに対応付けて変換情報「Ｋ１６」を活動情報記憶部３６０に記憶し（Ｓ２００）、グループＩＤ「Ｇ０３」に対応付けて出力先情報格納部３５０に格納されたユーザＩＤ「Ｕ０７」「Ｕ０８」を読み出し、それぞれのユーザＩＤに対応付けて変換情報「Ｋ２２」を活動情報記憶部３６０に記憶する（Ｓ２００）。
【００４７】
次に、サーバ３０の活動情報送受信部３１０は、受信したグループＩＤ「Ｇ０１」「Ｇ０３」以外のグループＩＤ「Ｇ０２」に対応付けて出力先情報格納部３５０に格納されたユーザＩＤ「Ｕ０５」「Ｕ０６」を読み出して、それぞれのユーザＩＤに対応付けて選択情報「Ｋ２４」を活動情報記憶部３６０に記憶する（Ｓ２００）。
【００４８】
サーバ３０の活動情報送受信部３１０は、ユーザＩＤ「Ｕ０２」により識別される他のユーザ「Ｂ課長」が使用する携帯情報端末２２に対応付けられたサーバ３２に、ユーザ「Ａ」を識別するユーザＩＤ「Ｕ０１」、および、ユーザＩＤ「Ｕ０２」に対応付けて活動情報記憶部３６０に記憶した変換情報「Ｋ１６」を送信する（Ｓ２１０）。
【００４９】
同様に、サーバ３０の活動情報送受信部３１０は、ユーザＩＤ「Ｕ０５」により識別される他のユーザ「Ｅ」が使用する携帯情報端末２４に対応付けられたサーバ３４に、ユーザ「Ａ」を識別するユーザＩＤ「Ｕ０１」、および、ユーザＩＤ「Ｕ０５」に対応付けて活動情報記憶部３６０に記憶した選択情報「Ｋ２４」を送信する（同ステップ）。
【００５０】
さらに、サーバ３０の活動情報送受信部３１０は、ユーザＩＤ「Ｕ０７」により識別される他のユーザ「妻」が使用する携帯情報端末２６に対応付けられたサーバ３６に、ユーザ「Ａ」を識別するユーザＩＤ「Ｕ０１」、および、ユーザＩＤ「Ｕ０７」に対応付けて活動情報記憶部３６０に記憶した変換情報「Ｋ２２」を送信する（同ステップ）。
【００５１】
サーバ３２の活動情報送受信部３１０は、ユーザ「Ａ」を識別するユーザＩＤ「Ｕ０１」、および、変換情報「Ｋ１６」を上記サーバ３０から受信し、サーバ３２に対応付けられた携帯情報端末２２に送信する（Ｓ３００）。
【００５２】
同様に、サーバ３４の活動情報送受信部３１０は、ユーザ「Ａ」を識別するユーザＩＤ「Ｕ０１」、および、選択情報「Ｋ２４」を上記サーバ３０から受信し、サーバ３４に対応付けられた携帯情報端末２４に送信する（同ステップ）。
【００５３】
さらに、サーバ３６の活動情報送受信部３１０は、ユーザ「Ａ」を識別するユーザＩＤ「Ｕ０１」、および、変換情報「Ｋ２２」を上記サーバ３０から受信し、サーバ３６に対応付けられた携帯情報端末２６に送信する（同ステップ）。
【００５４】
携帯情報端末２２は、ユーザ「Ａ」を識別するユーザＩＤ「Ｕ０１」および変換情報「Ｋ１６」をサーバ３２から受信して、図１３（ａ）に示すように、ユーザ「Ａ」の活動情報をディスプレイ２０２に表示する（Ｓ４００）。
【００５５】
一方、携帯情報端末２４は、ユーザ「Ａ」を識別するユーザＩＤ「Ｕ０１」および選択情報「Ｋ２４」をサーバ３４から受信して、図１３（ｂ）に示すように、ユーザ「Ａ」の活動情報をディスプレイ２０４に表示する（同ステップ）。
【００５６】
一方、携帯情報端末２６は、ユーザ「Ａ」を識別するユーザＩＤ「Ｕ０１」および変換情報「Ｋ２２」をサーバ３６から受信して、図１３（ｃ）に示すように、ユーザ「Ａ」の活動情報をディスプレイ２０６に表示する（同ステップ）。そして本フローチャートは終了する。
【００５７】
図１４は、システム１０の動作の他の一例を示すフローチャートである。図１５は、携帯情報端末２０から出力される情報の他の一例を示す。なお、本フローチャートの開始時における各端末およびサーバの状態は、図１１に示すフローチャートと同様であるものとする。
【００５８】
携帯情報端末２０の選択情報受付部１２０がユーザ「Ａ」から選択情報を受け付けた場合に、当該携帯情報端末２０の活動情報出力部１３０は、選択情報「Ｋ２４」が変換情報格納部１８０に格納された一の活動情報と同一であるか否かを判断する（Ｓ５００）。ステップＳ５００において活動情報出力部１３０は、選択情報「Ｋ２４」が変換情報格納部１８０に格納された一の活動情報と同一であると判断した場合に（Ｓ５００：Ｙｅｓ）、当該一の活動情報「Ｋ２４」に対応付けて変換情報格納部１８０に格納されているグループＩＤ、変換情報を、対応付けて読み出す（Ｓ５１０）。さらに、活動情報出力部１３０は、読み出されたグループＩＤに対応付けて変換情報をセットした出力情報を生成し（Ｓ５２０）、生成した出力情報に、さらに、グループ情報格納部１７０に格納された他のグループＩＤに対応付けて選択情報「Ｋ２４」をセットする（Ｓ５３０）。一方、ステップＳ５００において活動情報出力部１３０は、選択情報「Ｋ２４」が変換情報格納部１８０に格納された一の活動情報と同一でないと判断した場合に（Ｓ５００：Ｎｏ）、グループ情報格納部１７０に格納されたグループＩＤに対応付けて選択情報「Ｋ２４」をセットした出力情報を生成する（Ｓ５４０）。
【００５９】
ステップＳ５００において活動情報出力部１３０は、選択情報「Ｋ２４」が変換情報格納部１８０に格納された一の活動情報「Ｋ２４」と同一であると判断した場合に（Ｓ５００：Ｙｅｓ）、変換情報格納部１８０から、グループＩＤ「Ｇ０１」に対応付けて変換情報「Ｋ１６」を読み出す（Ｓ５１０）。さらに、活動情報出力部３１０は、グループＩＤ「Ｇ０３」に対応付けて変換情報「Ｋ２２」を読み出し（Ｓ５１０）、読み出されたグループＩＤ「Ｇ０１」に対応付けて変換情報「Ｋ１６」をセットし（Ｓ５２０）、読み出されたグループＩＤ「Ｇ０３」に対応付けて変換情報「Ｋ２２」をセットした出力情報を生成し（Ｓ５２０）、生成した出力情報に、さらに、グループ情報格納部１７０に格納された他のグループＩＤ「Ｇ０２」に対応付けて選択情報「Ｋ２４」をセットする（Ｓ５３０）。
【００６０】
さらに活動情報出力部１３０は、出力元のユーザＩＤとして、ユーザ「Ａ」を識別するユーザＩＤ「Ｕ０１」を出力情報に付加し（Ｓ５５０）、図１５に示す出力情報をサーバ３０に出力する（Ｓ５６０）。図１５に示す出力情報は、ユーザ「Ａ」を識別するユーザＩＤ「Ｕ０１」、グループＩＤ「Ｇ０１」に対応付けられた変換情報「Ｋ１６」、グループＩＤ「Ｇ０２」に対応付けられた選択情報「Ｋ２４」、および、グループＩＤ「Ｇ０３」に対応付けられた変換情報「Ｋ２２」を含む。なお、活動情報出力部１３０は、図１５に示すように、活動情報として選択情報と変換情報とを区別せず、出力情報を生成してもよい。
【００６１】
サーバ３０の活動情報送受信部３１０は、出力情報に含まれる、ユーザ「Ａ」を識別するユーザＩＤ「Ｕ０１」、グループＩＤ「Ｇ０１」に対応付けられた変換情報「Ｋ１６」、グループＩＤ「Ｇ０２」に対応付けられた選択情報「Ｋ２４」、グループＩＤ「Ｇ０３」に対応付けられた変換情報「Ｋ２２」を読み出す。そして、サーバ３０の活動情報送受信部３１０は、グループＩＤ「Ｇ０１」に対応付けて出力先情報格納部３５０に格納されたユーザＩＤ「Ｕ０２」「Ｕ０３」「Ｕ０４」を読み出し、それぞれのユーザＩＤに対応付けて変換情報「Ｋ１６」を活動情報記憶部３６０に記憶し（Ｓ６００）、グループＩＤ「Ｇ０２」に対応付けて出力先情報格納部３５０に格納されたユーザＩＤ「Ｕ０５」「Ｕ０６」を読み出し、それぞれのユーザＩＤに対応付けて選択情報「Ｋ２４」を活動情報記憶部３６０に記憶し（Ｓ６００）、グループＩＤ「Ｇ０３」に対応付けて出力先情報格納部３５０に格納されたユーザＩＤ「Ｕ０７」「Ｕ０８」を読み出し、それぞれのユーザＩＤに対応付けて変換情報「Ｋ２２」を活動情報記憶部３６０に記憶する（Ｓ６００）。
【００６２】
以下、サーバ３０のステップＳ６１０の動作、サーバ３２等のステップＳ７００の動作および、携帯情報端末２２等のステップＳ８００の動作は、図１１に示すステップＳ２１０、ステップＳ３００、および、ステップＳ４００と同一なので説明を省略する。なお、携帯情報端末２２、２４、２６は、図１１に示すフローチャートの場合と同様に、図１３（ａ）（ｂ）（ｃ）に示すように、ユーザ「Ａ」の活動情報をディスプレイ２０２、２０４、２０６に表示する。
【００６３】
図１６は、携帯情報端末２０のブロック図の他の一例を示す。携帯情報端末２０は、図１６に示すように、さらに、出力情報記憶部１９０を備えてもよい。出力情報記憶部１９０は、グループＩＤに対応付けて変換情報が活動情報出力部１３０により出力された場合に、当該グループＩＤに対応付けて当該変換情報を記憶する。また、出力情報記憶部１９０は、選択情報により識別される一の活動情報とともに、グループＩＤに対応付けて変換情報が活動情報出力部１３０により出力された場合には、当該グループＩＤ以外のグループ情報格納部１７０に格納されたグループＩＤに対応付けて当該一の活動情報を記憶してもよい。また、出力情報記憶部１９０は、選択情報により識別される一の活動情報のみが、活動情報出力部１３０により出力された場合には、グループ情報格納部１７０に格納されたグループＩＤに対応付けて当該一の活動情報を記憶してもよい。
【００６４】
携帯情報端末２０が出力情報記憶部１９０を備える場合には、活動情報出力部１３０は、選択情報受付部１２０が新たに選択情報を受け付けた場合に、選択情報受付部１２０により受け付けられた新たな選択情報により識別される新たな活動情報、および、一のグループＩＤに対応付けて変換情報格納部１８０に格納されている新たな変換情報が、当該一のグループＩＤに対応付けて出力情報記憶部１９０に記憶されている変換情報と異なるときは、新たな変換情報を、当該一のグループＩＤに対応付けて出力する。
【００６５】
以上、本実施形態によれば、携帯情報端末２０に変換情報を格納するので、変換情報を簡便に設定および変更することができる。また、当該携帯情報端末２０からそれぞれのグループを指定した変換情報が出力されるので、サーバ３０において変換情報に変換する処理が不要となり、サーバ３０の負担を低減させることができる。
【００６６】
なお、上記実施形態においては、携帯情報端末２０は、他の携帯情報端末を使用する他のユーザが属するグループを識別するグループＩＤを格納するグループ情報格納部１７０を備えたが、これにかえて、他の端末を使用する複数の他のユーザのそれぞれを識別するユーザＩＤを格納するユーザ情報格納部を備えてもよい。
【００６７】
携帯情報端末２０がグループ情報格納部１７０にかえてユーザ情報格納部を備える場合には、変換情報受付部１１０は、ユーザ情報格納部に格納されたユーザＩＤのうちの特定の他のユーザを識別するユーザ識別情報、活動情報格納部１６０に格納された複数の活動情報のうちの一の活動情報、および、当該一の活動情報に換えて、当該特定の他のユーザが使用する前記他の端末に出力する、活動情報格納部１６０に格納された複数の活動情報のうちの他の活動情報である変換情報を、当該端末を使用するユーザから受け付ける。
【００６８】
また、携帯情報端末２０がグループ情報格納部１７０にかえてユーザ情報格納部を備える場合には、変換情報格納部１８０は、変換情報受付部１１０により受け付けられた変換情報を、変換情報受付部１１０により受け付けられたユーザＩＤ、および、変換情報受付部１１０により受け付けられた一の活動情報に対応付けて格納する。
【００６９】
また、携帯情報端末２０がグループ情報格納部１７０にかえてユーザ情報格納部を備える場合には、活動情報出力部１３０は、選択情報受付部１２０が選択情報を受け付けた場合に、当該選択情報により識別される一の活動情報に対応付けられて変換情報格納部１８０に格納されている変換情報を、当該一の活動情報、および、当該変換情報に対応付けられて変換情報格納部１８０に格納されているユーザＩＤに対応付けて、携帯情報端末２０に対応付けられたサーバ３０に出力する。
【００７０】
また、携帯情報端末２０が出力情報記憶部１９０を備え、かつ、グループ情報格納部１７０にかえてユーザ情報格納部を備える場合には、出力情報記憶部１９０は、ユーザＩＤに対応付けて変換情報が活動情報出力部１３０により出力された場合に、当該ユーザＩＤに対応付けて当該変換情報を記憶する。また、出力情報記憶部１９０は、選択情報により識別される一の活動情報とともに、ユーザＩＤに対応付けて変換情報が活動情報出力部１３０により出力された場合には、当該ユーザＩＤ以外のユーザ情報格納部に格納されたユーザＩＤに対応付けて当該一の活動情報を記憶してもよい。また、出力情報記憶部１９０は、選択情報により識別される一の活動情報のみが、活動情報出力部１３０により出力された場合には、ユーザ情報格納部に格納されたユーザＩＤに対応付けて当該一の活動情報を記憶してもよい。
【００７１】
携帯情報端末２０が出力情報記憶部１９０を備え、かつ、グループ情報格納部１７０にかえてユーザ情報格納部を備える場合には、活動情報出力部１３０は、選択情報受付部１２０が新たに選択情報を受け付けた場合に、選択情報受付部１２０により受け付けられた新たな選択情報により識別される新たな活動情報、および、一のユーザＩＤに対応付けて変換情報格納部１８０に格納されている新たな変換情報が、当該一のユーザＩＤに対応付けて出力情報記憶部１９０に記憶されている変換情報と異なるときは、新たな変換情報を、当該一のユーザＩＤに対応付けて出力する。
【００７２】
なお、サーバ３０、３２、３４、３６は、それぞれが異なるハードウェア上で動作するソフトウェアであってもよし、同一のハードウェア上で動作するソフトウェアであってもよい。
【００７３】
また、サーバ３０等は、インターネットデータセンターなどのインターネット環境に設置してもよい。この場合、サーバ３０等と携帯情報端末２０等とは、インターネット、ゲートウェイ、および、基地局などを含む無線アクセスネットワークなどを介して接続する。また例えば、サーバ３０等は、電話系のインテリジェントネットワーク（ＩＮ）環境に設置してもよい。この場合、サーバ３０等と携帯情報端末２０等とは、コアネットワークおよび無線アクセスネットワークなどを介して接続する。
【００７４】
また、サーバ３０は携帯情報端末２０と対応付けられていると説明したが、サーバ３０は携帯情報端末２０を使用するユーザに対応付けられていてもよい。システム１０に携帯情報端末２０が利用されるときに、サーバ３０と携帯情報端末２０の対応付けが設定されてもよい。また、システム１０をユーザが利用するときに、サーバ３０とユーザの対応付けが設定されてもよい。
【００７５】
また、システム１０が備える端末は、携帯情報端末でなくディスクトップ型のパーソナルコンピュータなど固定設置されるものであってもよい。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７７】
【図１】システム１０の概略図を模式的に示す。
【図２】携帯情報端末２０のブロック図の一例を示す。
【図３】活動情報格納部１６０に格納された情報の一例を示す。
【図４】グループ情報格納部１７０に格納された情報の一例を示す。
【図５】変換情報格納部１８０に格納された情報の一例を示す。
【図６】ディスプレイ２００に表示された情報の一例を示す。
【図７】サーバ３０のブロック図の一例を示す。
【図８】出力先情報格納部３５０に格納された情報の一例を示す。
【図９】活動情報記憶部３６０に記憶された情報の一例を示す。
【図１０】ディスプレイ２０２、２０４、２０６に表示された情報の一例を示す。
【図１１】システム１０の動作の一例を示すフローチャートである。
【図１２】携帯情報端末２０から出力される情報の一例を示す。
【図１３】ディスプレイ２０２、２０４、２０６に表示された情報の一例を示す。
【図１４】システム１０の動作の他の一例を示すフローチャートである。
【図１５】携帯情報端末２０から出力される情報の他の一例を示す。
【図１６】携帯情報端末２０のブロック図の他の一例を示す。
【符号の説明】
【００７８】
１０  システム
２０  携帯情報端末
３０  サーバ
２２  携帯情報端末
３２  サーバ
２４  携帯情報端末
３４  サーバ
２６  携帯情報端末
３６  サーバ
１００  出力先情報送受信部
１１０  変換情報受付部
１２０  選択情報受付部
１３０  活動情報出力部
１４０  活動情報受信部
１５０  表示部
１６０  活動情報格納部
１７０  グループ情報格納部
１８０  変換情報格納部
１９０  出力情報記憶部
２００  ディスプレイ
２０２  ディスプレイ
２０４  ディスプレイ
２０６  ディスプレイ
３００  出力先情報送受信部
３１０  活動情報送受信部
３５０  出力先情報格納部
３６０  活動情報記憶部
【図１】
2008102867.tif 000003
【図２】
2008102867.tif 000004
【図３】
2008102867.tif 000005
【図４】
2008102867.tif 000006
【図５】
2008102867.tif 000007
【図６】
2008102867.tif 000008
【図７】
2008102867.tif 000009
【図８】
2008102867.tif 000010
【図９】
2008102867.tif 000011
【図１０】
2008102867.tif 000012
【図１１】
2008102867.tif 000013
【図１２】
2008102867.tif 000014
【図１３】
2008102867.tif 000015
【図１４】
2008102867.tif 000016
【図１５】
2008102867.tif 000017
【図１６】
2008102867.tif 000018